【手続補正書】
【提出日】平成17年1月21日(2005.1.21)
【手続補正１】
【補正対象書類名】明細書
【補正対象項目名】特許請求の範囲
【補正方法】変更
【補正の内容】
【特許請求の範囲】
【請求項１】
企業内情報システム又は組織の診断のための表示において、コンピュータを用いて、情報又はサービス又はリソースからなる第１の分類に属するメンバ群と、第１の分類に属するメンバを利用する人からなる第２の分類に属するメンバ群との間の接続関係を表示する方法であって、
前記第１の分類に対して連続した第１の表示領域を、前記第２の分類に対して前記第１の表示領域と重ならず且つ前記第１の表示領域よりも小さい、連続した第２の表示領域を割り当て、
前記第１の分類の各メンバを表すノードを互いに識別可能に前記第１の表示領域に表示し、
前記第２の分類の各メンバを表すノードを互いに識別可能に前記第２の表示領域に表示し、
配置された前記第１の分類のメンバと前記第２の分類のメンバとの間の接続関係情報を取得し、この接続関係情報に応じてそれら両分類のノード間を結ぶアークを表示する、
接続関係表示方法。
【請求項２】
企業内情報システム又は組織の診断のための表示において、コンピュータを用いて、メンバ間の接続関係を表示する方法であって、
メンバ群の接続関係の情報と、それらメンバ群の分類の基礎となる属性情報とを記憶したメンバ情報記憶部を用意し、
前記メンバ情報記憶部に記憶された各メンバの属性情報に基づき、それら各メンバを情報又はサービス又はリソースからなる第１の分類と、第１の分類に属するメンバを利用する人からなる第２の分類とに分類し、
前記第１の分類に対して連続した第１の表示領域を、前記第２の分類に対して前記第１の表示領域と重ならず且つ前記第１の表示領域よりも小さい、連続した第２の表示領域を割り当て、
前記第１の分類の各メンバを表すノードを互いに識別可能に前記第１の表示領域に表示し、
前記第２の分類の各メンバを表すノードを互いに識別可能に前記第２の表示領域に表示し、
配置された前記第１の分類のメンバと前記第２の分類のメンバとの間の接続関係情報を前記メンバ情報記憶部から読み出し、その接続関係情報に応じてそれら両分類のノード間を結ぶアークを表示する、
接続関係表示方法。
【請求項３】
前記第１の表示領域は、実質的に線状の領域であり、その領域上のどの点からも前記第２の表示領域を見込む角が実質的に等しくなるよう、前記第２の領域に基づき形状及び配置関係が規定されることを特徴とする請求項１又は２に記載の接続関係表示方法。
【請求項４】
前記第２の領域は、実質的に円状の領域であり、
前記第１の領域は、前記第２の領域の外側に、その第２の領域に対して実質的に同心円関係をなして形成される実質的な円周又は円弧状の領域である、
ことを特徴とする請求項１又は２に記載の接続関係表示方法。
【請求項５】
前記第１の領域は、前記第２の領域を包囲する位置関係で設定されることを特徴とする請求項１又は２記載の接続関係表示方法。
【請求項６】
前記第１の領域は、環状領域であることを特徴とする請求項１又は２に記載の接続関係表示方法。
【請求項７】
前記第２の表示領域は、前記第１の表示領域内の各点からの見込む角が所定値以下となるように、そのサイズが決定されることを特徴とする請求項１又は２記載の接続関係表示方法。
【請求項８】
前記第２の分類の各メンバが複数のグループにグループ分けされる場合において、前記アークを表示するステップでは、表示対象のグループの指定を受け付け、指定されたグループのメンバについての接続関係のアークのみを表示する、
請求項１又は２記載の接続関係表示方法。
【請求項９】
ユーザからの指示に応じて、前記第１の分類と前記第２の分類の表示領域を入れ替えて表示するステップを更に含む、請求項１〜８のいずれかに記載の接続関係表示方法。
【請求項１０】
企業内情報システム又は組織の診断のための表示において、情報又はサービス又はリソースからなる第１の分類に属するメンバ群と、第１の分類に属するメンバを利用する人からなる第２の分類に属するメンバ群との間の接続関係を表示する装置であって、
接続関係を表示する表示範囲内に、連続した第１表示領域と、この第１表示領域と重ならず且つ前記第１表示領域よりも小さい連続した第２表示領域とを設定する領域設定部と、
第１の分類の各メンバを表すノードを互いに識別可能に前記第１の表示領域に配置し、第２の分類の各メンバを表すノードを互いに識別可能に前記第２の表示領域に配置するノード配置処理部と、
配置された前記第１の分類のメンバと前記第２の分類のメンバとの間の接続関係情報を前記メンバ情報記憶部から読み出し、その接続関係情報に応じてそれら両分類のノード間を結ぶアークを表示するためのアーク表示処理部と、
を備える接続関係表示装置。
【請求項１１】
企業内情報システム又は組織の診断のため接続関係表示装置であって、
メンバ群の接続関係の情報と、それらメンバ群の分類の基礎となる属性情報とを記憶したメンバ情報記憶部と、
前記メンバ情報記憶部に記憶された各メンバの属性情報に基づき、それら各メンバを情報又はサービス又はリソースからなる第１の分類と、第１の分類に属するメンバを利用する人からなる第２の分類とに分類する分類処理部と、
接続関係を表示する表示範囲内に、連続した第１表示領域と、この第１表示領域と重ならず且つ前記第１表示領域よりも小さい連続した第２表示領域とを設定する領域設定部と、
前記分類処理部の分類結果に従い、前記第１の分類の各メンバを表すノードを互いに識別可能に前記第１の表示領域に配置し、前記第２の分類の各メンバを表すノードを互いに識別可能に前記第２の表示領域に配置するノード配置処理部と、
配置された前記第１の分類のメンバと前記第２の分類のメンバとの間の接続関係情報を前記メンバ情報記憶部から読み出し、その接続関係情報に応じてそれら両分類のノード間を結ぶアークを表示するためのアーク表示処理部と、
を備える接続関係表示装置。
【請求項１２】
前記第１の表示領域は、実質的に線状の領域であり、その領域上のどの点からも前記第２の表示領域を見込む角が実質的に等しくなるよう、前記第２の領域に基づき形状及び配置関係が規定されることを特徴とする請求項１０又は１１に記載の接続関係表示装置。
【請求項１３】
前記第２の領域は、実質的に円状の領域であり、
前記第１の領域は、前記第２の領域の外側に、その第２の領域に対して実質的に同心円関係をなして形成される実質的な円周又は円弧状の領域である、
ことを特徴とする請求項１０又は１１に記載の接続関係表示装置。
【請求項１４】
前記第１の領域は、前記第２の領域を包囲する位置関係で設定されることを特徴とする請求項１０又は１１記載の接続関係表示装置。
【請求項１５】
前記第１の領域は、環状領域であることを特徴とする請求項１０又は１１に記載の接続関係表示装置。
【請求項１６】
前記第２の表示領域は、前記第１の表示領域内の各点からの見込む角が所定値以下となるように、そのサイズが決定されることを特徴とする請求項１０又は１１記載の接続関係表示装置。
【請求項１７】
前記第２の分類の各メンバが複数のグループにグループ分けされる場合において、前記アーク表示処理部は、表示対象のグループの指定を受け付ける手段を備え、指定されたグループのメンバについての接続関係のアークのみを表示する、請求項１０又は１１記載の接続関係表示装置。
【請求項１８】
前記第１の分類及び第２の分類の少なくとも一方のメンバ群を、指示に従って複数のグループにグループ化する手段と、
このグループ化の結果に基づき、同一グループに属するメンバのノードが近接するよう、それら各メンバのノードの前記表示領域内での表示位置を決定する手段と、
を更に備えることを特徴とする請求項１０又は１１に記載の接続関係表示装置。
【請求項１９】
前記第１の分類及び第２の分類の少なくとも一方のメンバ群の各ノードの前記表示領域における表示位置を、それら各メンバの属性情報に応じた順序に従って決定する、請求項１０又は１１に記載の接続関係表示装置。
【請求項２０】
ユーザからの指示に応じて、前記第１の分類と前記第２の分類の表示領域を入れ替えて表示する手段を更に含む、請求項１０〜１９のいずれかに記載の接続関係表示装置。
【請求項２１】
コンピュータシステムを企業内情報システム又は組織の診断のため接続関係表示装置として機能させるためのプログラム、を記録したコンピュータ読み取り可能な記録媒体であって、前記コンピュータシステムを、
接続関係を表示する表示範囲内に、連続した第１表示領域と、この第１表示領域と重ならず且つ前記第１表示領域よりも小さい連続した第２表示領域とを設定する領域設定部、
情報又はサービス又はリソースからなる第１の分類の各メンバを表すノードを互いに識別可能に前記第１の表示領域に配置し、第１の分類に属するメンバを利用する人からなる第２の分類の各メンバを表すノードを互いに識別可能に前記第２の表示領域に配置するノード配置処理部、
配置された前記第１の分類のメンバと前記第２の分類のメンバとの間の接続関係情報を前記メンバ情報記憶部から読み出し、その接続関係情報に応じてそれら両分類のノード間を結ぶアークを表示するためのアーク表示処理部、
として機能させるためのプログラムを記録したコンピュータ読取可能な記録媒体。
【請求項２２】
コンピュータシステムを企業内情報システム又は組織の診断のため接続関係表示装置として機能させるためのプログラム、を記録したコンピュータ読み取り可能な記録媒体であって、前記コンピュータシステムを、
メンバ群の接続関係の情報と、それらメンバ群の分類の基礎となる属性情報とを記憶したメンバ情報記憶部、
前記メンバ情報記憶部に記憶された各メンバの属性情報に基づき、それら各メンバを情報又はサービス又はリソースからなる第１の分類と、第１の分類に属するメンバを利用する人からなる第２の分類とに分類する分類処理部、
接続関係を表示する表示範囲内に、連続した第１表示領域と、この第１表示領域と重ならず且つ前記第１表示領域よりも小さい連続した第２表示領域とを設定する領域設定部、
前記分類処理部の分類結果に従い、前記第１の分類の各メンバを表すノードを互いに識別可能に前記第１の表示領域に配置し、前記第２の分類の各メンバを表すノードを互いに識別可能に前記第２の表示領域に配置するノード配置処理部、
配置された前記第１の分類のメンバと前記第２の分類のメンバとの間の接続関係情報を前記メンバ情報記憶部から読み出し、その接続関係情報に応じてそれら両分類のノード間を結ぶアークを表示するためのアーク表示処理部、
として機能させるためのプログラムを記録したコンピュータ読取可能な記録媒体。
【請求項２３】
コンピュータシステムを企業内情報システム又は組織の診断のため接続関係表示装置として機能させるためのプログラム、を記録したコンピュータ読み取り可能な記録媒体であって、前記コンピュータシステムを、
メンバ群の接続関係の情報と、それらメンバ群の分類の基礎となる属性情報とを記憶したメンバ情報記憶部、
前記メンバ情報記憶部に記憶された各メンバの属性情報に基づき、それら各メンバを情報又はサービス又はリソースからなる第１の分類と、第１の分類に属するメンバを利用する人からなる第２の分類とに分類する分類処理部、
接続関係を表示する表示範囲内に、同心円関係をなす外側円領域と内側円領域とを設定する領域設定部、
前記第１の分類及び前記第２の分類と、前記外側円領域及び前記内側円領域との間の割り当て関係の設定を受け付ける領域割当て部、
前記分類処理部の分類結果に従い、前記第１及び第２の分類の各メンバを表すノードを、前記領域割当て部で割り当てられた領域にそれぞれ配置するノード配置処理部、
前記第１の分類のメンバと前記第２の分類のメンバとの間の接続関係情報を前記メンバ情報記憶部から読み出し、その接続関係情報に応じて前記外側円領域状のノードと前記内側円領域状のノードとの間を結ぶアークを表示するためのアーク表示処理部、
として機能させるためのプログラムを記録したコンピュータ読取可能な記録媒体。
【手続補正２】
【補正対象書類名】明細書
【補正対象項目名】０００８
【補正方法】変更
【補正の内容】
【０００８】
【課題を解決するための手段】
上記目的を達成するため、本発明では、企業内情報システム又は組織の診断のための表示において、情報又はサービス又はリソースからなる第１の分類に属するメンバ群と、第１の分類に属するメンバを利用する人からなる第２の分類に属するメンバ群との間の接続関係を表示するに際し、前記第１の分類に対して連続した第１の表示領域を、第２の分類に対して前記第１の表示領域と重ならず且つ第１の表示領域よりも小さい、連続した第２の表示領域を割り当て、第１の分類の各メンバを表すノードを互いに識別可能に前記第１の表示領域に表示し、第２の分類の各メンバを表すノードを互いに識別可能に前記第２の表示領域に表示し、配置された前記第１の分類のメンバと前記第２の分類のメンバとの間の接続関係情報を取得し、この接続関係情報に応じてそれら両分類のノード間を結ぶアークを表示する。
【手続補正３】
【補正対象書類名】明細書
【補正対象項目名】００１０
【補正方法】変更
【補正の内容】
【００１０】
この構成では、各メンバのノードは、各々の所属分類に応じた連続領域に配置されるので、表示上で各メンバの所属分類が認識しやすい。また、第２の表示領域は第１の表示領域より小さいので、第１の表示領域上の各点と第２の表示領域の各点の間の接続を表現する線などは、それぞれ比較的小さい範囲に収まり、第１の表示領域上のノードに対し、第２の表示領域上のノードからのアークが四方八方から入ってくるということがない。したがって、第１の表示領域上のノードの接続状況が把握しやすい表示が得られる。